(57)【要約】【課題】  カッタの刃折り作業を簡単に行うことができる上に、容易に携帯することができるカッタの刃折り具を提供すること。【解決手段】  カッタの刃折り具１は、ベルト、衣服等からなる被装着体２に装着される装着体３と、装着体３に対してＡ方向にスライド自在に取り付けられると共に形状に関してＡ方向に伸びる対称軸４を有したスライダ５と、Ａ方向に関してスライダ５の一方側の部位に固着されていると共にカッタ６の刃先７を折る刃折り体８と、装着体３に設けられていると共に刃折り体８により折られた折り刃９を収容する折り刃収容体１０とを具備している。【選択図】図１
2006116136.tif 000002
【特許請求の範囲】
【請求項１】
ベルト等からなる被装着体に装着される装着体と、この装着体に対してスライド自在に取り付けられると共に形状に関してスライド方向に伸びる対称軸を有したスライダと、スライド方向に関してスライダの一方側の部位に固着されていると共にカッタの刃先を折る刃折り体と、装着体に設けられていると共に刃折り体により折られた折り刃を収容する折り刃収容体とを具備しているカッタの刃折り具。
【請求項２】
装着体は、板状体と、板状体に設けられた装着部とを具備しており、装着部は、被装着体を板状体との間で挟持することにより当該被装着体に装着されるようになっている請求項１に記載のカッタの刃折り具。
【請求項３】
装着体は、板状体の表面に対向する面でスライダに夫々滑接するスライド方向に伸びた互いに同形状の一対の滑接板部を具備しており、スライダは、板状体及び一方の滑接板部に滑接自在に挟持されるスライド方向に伸びた一方の被挟持板部と、一方の被挟持板部と同形状であると共に板状体及び他方の滑接板部に滑接自在に挟持されるスライド方向に伸びた他方の被挟持板部と、一対の被挟持板部間に配されていると共に刃折り体が固着される固着板部とを具備している請求項２に記載のカッタの刃折り具。
【請求項４】
折り刃収容体は、装着体の下部に設けられたコ字状部と、このコ字状部が挿入される開口を有した中空の箱体と、この箱体をコ字状部に解除自在に係止させる係止機構又はコ字状部と箱体との間に挟み込まれて箱体のコ字状部からの落下を防止するように箱体を支持する支持部材とを具備している請求項１から３のいずれか一項に記載のカッタの刃折り具。
【発明の詳細な説明】
【技術分野】
【０００１】
本発明は、壁紙、シート等を切断するスライド式カッタの刃先を折るカッタの刃折り具に関する。
【背景技術】
【０００２】
【特許文献１】特開２０００−１４０４６０号公報
【０００３】
例えば特許文献１においては、カッタホルダから突出したカッタ刃の刃先を折る刃折り体と、この刃折り体が分離できないように固定されていると共に当該刃折り体で折られた刃先（折り刃）を収容する折り刃収容体とを具備したカッタの刃折り具が提案されている。斯かるカッタの刃折り具は、刃折り体と刃先が折られるべきカッタとが操作されることによってカッタの刃折り作業を行えるように構成されている。
【発明の開示】
【発明が解決しようとする課題】
【０００４】
ところで、斯かるカッタの刃折り具では、刃折り体が折り刃収容体に分離できないように固定されているので、例えば利き腕に応じて刃折り体の位置を変更し難く、而して、カッタの刃折り作業を簡単に行うことが困難である。また、斯かるカッタの刃折り具は、例えば建物等の内装工事に用いられる場合にはカッタの刃折り作業がより頻繁に行われ得るので、上述のようにカッタの刃折り作業を簡単に行える上に、携帯が容易であることが望ましい。
【０００５】
本発明は、前記諸点に鑑みてなされたものであり、その目的とするところは、カッタの刃折り作業を簡単に行うことができる上に、容易に携帯することができるカッタの刃折り具を提供することにある。
【課題を解決するための手段】
【０００６】
本発明のカッタの刃折り具は、ベルト等からなる被装着体に装着される装着体と、この装着体に対してスライド自在に取り付けられると共に形状に関してスライド方向に伸びる対称軸を有したスライダと、スライド方向に関してスライダの一方側の部位に固着されていると共にカッタの刃先を折る刃折り体と、装着体に設けられていると共に刃折り体により折られた折り刃を収容する折り刃収容体とを具備している。
【０００７】
本発明のカッタの刃折り具によれば、特に、被装着体に装着される装着体と、この装着体に対してスライド自在に取り付けられると共に形状に関してスライド方向に伸びる対称軸を有したスライダと、スライド方向に関してスライダの一方側の部位に固着されていると共にカッタの刃先を折る刃折り体とを具備しているために、スライダ及び刃折り体を装着体から一旦分離させて反転させ、反転させた状態で装着体に再び取り付けることができて、刃折り体の装着体に対する位置を、例えば利き腕等に応じて変更することができ、而して、カッタの刃折り作業を簡単に行うことができ、その上、装着体が被装着体に装着されることで容易に携帯することができる。
【０００８】
本発明のカッタの刃折り具の好ましい例では、装着体は、板状体と、板状体に設けられた装着部とを具備しており、装着部は、被装着体を板状体との間で挟持することにより当該被装着体に装着されるようになっている。このような例によれば、カッタの刃折り具の被装着体への着脱を簡単に行い得る。
【０００９】
本発明のカッタの刃折り具の好ましい例では、装着体は、板状体の表面に対向する面でスライダに夫々滑接するスライド方向に伸びた互いに同形状の一対の滑接板部を具備しており、スライダは、板状体及び一方の滑接板部に滑接自在に挟持されるスライド方向に伸びた一方の被挟持板部と、一方の被挟持板部と同形状であると共に板状体及び他方の滑接板部に滑接自在に挟持されるスライド方向に伸びた他方の被挟持板部と、一対の被挟持板部間に配されていると共に刃折り体が固着される固着板部とを具備している。
【００１０】
本発明のカッタの刃折り具の好ましい例では、折り刃収容体は、装着体の下部に設けられたコ字状部と、このコ字状部が挿入される開口を有した中空の箱体と、この箱体をコ字状部に解除自在に係止させる係止機構又はコ字状部と箱体との間に挟み込まれて箱体のコ字状部からの落下を防止するように箱体を支持する支持部材とを具備している。
【発明の効果】
【００１１】
本発明によれば、カッタの刃折り作業を簡単に行うことができる上に、容易に携帯することができるカッタの刃折り具を提供し得る。
【発明を実施するための最良の形態】
【００１２】
次に、本発明の実施の形態の例を、図に示す例に基づいて更に詳細に説明する。尚、本発明はこれら例に何等限定されないのである。
【実施例】
【００１３】
図１から図６において、本例のカッタの刃折り具１は、ベルト、衣服等からなる被装着体２に装着される装着体３と、装着体３に対してＡ方向にスライド自在に取り付けられると共に形状に関してＡ方向に伸びる対称軸４を有したスライダ５と、Ａ方向に関してスライダ５の一方側の部位に固着されていると共にカッタ６の刃先７を折る刃折り体８と、装着体３に設けられていると共に刃折り体８により折られた折り刃９を収容する折り刃収容体１０とを具備している。
【００１４】
カッタの刃折り具１によって刃先７が折られるカッタ６は、例えば図３及び図４に示すように、板状の刃１１と、刃１１から押し出し自在に保持しているホルダ１２とを具備しており、例えばホルダ１２から突出している刃１１の刃先７の切れ味が悪くなった場合に、刃先７を折って取り除くことにより新しい刃先７が形成されるようになっている。
【００１５】
装着体３は、矩形状の板状体２１と、板状体２１に設けられた装着部２２及びスライダ取り付け部２３とを具備している。板状体２１の下部には、折り刃収容体１０が設けられている。
【００１６】
スライダ取り付け部２３よりも上方で板状体２１に設けられている装着部２２は、板状体２１に対して隙間２４をもって当該板状体２１の裏面２５側に配される板部２６と、板部２６及び板状体２１の上縁を一体的に連結している連結部２７とを具備しており、被装着体２を板状体２１と板部２６とにより被装着体２を挟持することによって被装着体２に装着されるようになっている。尚、連結部２７は、板状体２１が折り返されてなると共に被装着体２に接することで装着体３の被装着体２からの落下を防止するようになっている。
【００１７】
装着部２２よりも下方で板状体２１に設けられているスライダ取り付け部２３は、板状体２１に対して隙間３６をもって配されて当該板状体２１の表面３１に固定されていると共に、板状体２１の表面３１に対向する面３２及び３３でスライダ５に夫々滑接するＡ方向に伸びた滑接板部３４及び３５を具備しており、板状体２１の表面３１と滑接板部３４及び３５の面３２及び３３との協働によりスライダ５を挟持するようになっている。スライダ５は前記挟持により装着体３に取り付けられるようになっている。夫々互いに同様の形状を有している滑接板部３４及び３５は、上下方向において互いに対向している。
【００１８】
スライダ５は、板状体２１及び滑接板部３４に滑接自在に挟持されるＡ方向に伸びた被挟持板部４１と、被挟持板部４１と同形状であると共に板状体２１及び滑接板部３５に滑接自在に挟持されるＡ方向に伸びた被挟持板部４２と、被挟持板部４１及び滑接板部３４と被挟持板部４２及び滑接板部３５との間に配されて被挟持板部４１及び４２が一体的に設けられていると共に刃折り体８が面６３に固着される固着板部４３とを具備している。
【００１９】
被挟持板部４１と被挟持板部４２とは、夫々互いに同様にＡ方向に伸びている。固着板部４３の被挟持板部４１側の縁４４と固着板部４３の被挟持板部４２側の縁４５とは、夫々互いに同様にＡ方向に伸びており、滑接板部３４及び３５の夫々のＡ方向に伸びた縁４６及び４７に夫々滑接するようになっている。固着板部４３のＡ方向に伸びた縁４４は、滑接板部３４のＡ方向に伸びた縁４５に滑接するようになっており、固着板部４３の縁４６は、縁４４と同様にＡ方向に伸びていると共に滑接板部３５のＡ方向に伸びた縁４７に滑接するようになっている。対称軸４は、固着板部４３の中央部においてＡ方向に伸びている。
【００２０】
Ａ方向にスライド自在に装着体３に取り付けられたスライダ５は、被挟持板部４１が滑接板部３４に、被挟持板部４２が滑接板部３５に夫々滑接しているが、例えば図６に示すように上下反転させても、被挟持板部４２が滑接板部３４に、被挟持板部４１が滑接板部３５に夫々滑接して、Ａ方向にスライド自在に装着体３に取り付けられるようになっている。
【００２１】
刃折り体８は、固着板部４３に固着されていると共に上下方向における両端部に開口５１及び５２を有したコ字状又は矩形状の中空本体５３と、中空本体５３の側板５４に設けられた上下方向に伸びた刃折り用のスリット５５と、開口５１及び５２のうちの上方に位置する開口５１を閉塞する閉塞部材５６とを具備している。
【００２２】
中空本体５３の中空部６１は、開口５１及び５２のうちの下方に位置する開口５２を介して折り刃収容体１０の収容空間９９に連通している。中空本体５３は、スリット５５において折られた折り刃９の飛散をも防止している。
【００２３】
スリット５５には、カッタ６の刃先７が挿入されるようになっている。スリット５５に挿入された刃先７は、本例では図４に示すように、スリット５５を画している中空本体５３の面６２と固着板部４３の面６３とに押しつけられることにより当該スリット５５において折られるようになっている。
【００２４】
閉塞部材５６は、開口５１を閉塞するように中空本体５３に取り外し自在に嵌め込まれている。尚、閉塞部材５６は、例えばスライダ５及び刃折り体８が上下反転される場合には、開口５１よりも上方に位置する開口５２に取り外し自在に嵌め込まれるようになっている。
【００２５】
装着部２２及びスライダ取り付け部２３よりも下方に位置する折り刃収容体１０は、板状体２１の下部に一体的に設けられたコ字状部７１と、コ字状部７１が挿入される開口７２を上方に有した中空の箱体７３と、箱体７３をコ字状部７１に解除自在に係止させる係止機構７４と、刃折り体８に隣接して配されて開口７２を部分的に閉塞する閉塞部材７５とを具備している。
【００２６】
コ字状部７１は、前壁７６及び後壁７７と、前壁７６及び後壁７７の夫々の下縁が一体的に連結されている底壁７８とを具備している。
【００２７】
箱体７３は、内面で前壁７６に滑接する前壁８１と、内面で後壁７７に滑接する後壁８２と、前壁８１及び後壁８２のＡ方向における両側縁を一体的に連結している側壁８３及び８４とを具備している。側壁８３及び８４の夫々の内面は、前壁７６、後壁７７及び底壁７８の夫々のＡ方向における両縁に夫々滑接するようになっている。開口７２は、閉塞部材７５に閉塞されている部位を除いて開口５２を介して中空本体５３の中空部６１に連通している。側壁８３及び８４は、被挟持板部４２のＡ方向で互いに対向している両端縁に夫々接しており、このように接することでスライダ５の予期しないＡ方向への移動を防止している。
【００２８】
斯かるコ字状部７１及び箱体７３は、夫々互いに協働して折り刃９が収容される収容空間９９を画成している。
【００２９】
係止機構７４は、例えば、コ字状部７１の前壁７６に設けられた爪部９１と、箱体７３の前壁８１に設けられた孔部９２とを具備しており、爪部９１が孔部９２に解除自在に係止されることにより箱体７３のコ字状部７１に対する移動を解除自在に禁止するようになっている。
【００３０】
閉塞部材７５は、Ａ方向において中空本体５３に隣接した部位で開口７２を閉塞するようにコ字状部７１及び箱体７３に取り外し自在に嵌め込まれている。
【００３１】
以上のカッタの刃折り具１を用いてカッタ６の刃先７を折る場合には、図３に示すようにカッタ６の刃先７がスリット５５に挿入され、挿入されたカッタ６がＢ方向に向かって傾けられることによりスリット５５において図４に示すように刃先７を折り取る。このようにしてカッタ６から折り取られた折り刃９は、中空部６１から開口５２を介して折り刃収容体１０内に収容される。
【００３２】
折り刃収容体１０内に収容された折り刃９は、図５に示すように、係止機構７４による係止が解除されてコ字状部７１が箱体７３から一部抜出されることにより又は閉塞部材７５を取り外すことにより外部に連通する部分を通じて折り刃収容体１０の収容空間９９から排出される。
【００３３】
カッタの刃折り具１では、例えば図５に示すように係止機構７４による係止を一旦解除してコ字状部７１を箱体７３から一部抜出することにより側壁８３及び８４とスライダ５との接触を解除し、接触が解除されたスライダ５をＡ方向にスライドさせて、スライダ取り付け部２３から取り外し、取り外したスライダ５を上下反転させて再びＡ方向にスライドさせてスライダ取り付け部２３に取り付け、係止機構７４によりコ字状部７１を箱体７３に係止してスライダ５と側壁８３及び８４とを接触させることにより、Ａ方向に関して刃折り体８の位置を元の位置から図６に示す位置に変更することができる。
【００３４】
本例のカッタの刃折り具１によれば、ベルト等からなる被装着体２に装着される装着体３と、装着体３に対してＡ方向にスライド自在に取り付けられると共に形状に関してＡ方向に伸びる対称軸４を有したスライダ５と、Ａ方向に関してスライダ５の一方側の部位に固着されていると共にカッタ６の刃先７を折る刃折り体８と、装着体３に設けられていると共に刃折り体８により折られた折り刃９を収容する折り刃収容体１０とを具備しているために、スライダ５及び刃折り体８を装着体３から一旦分離させて反転させ、反転させた状態で装着体３に再び取り付けることができて、刃折り体８の装着体３に対する位置を、例えば利き腕等に応じて変更することができ、而して、カッタ６の刃折り作業を簡単に行うことができ、その上、装着体３が被装着体２に装着されることで容易に携帯することができる。
【００３５】
尚、本例のカッタの刃折り具１では、係止機構７４に代えて、例えば図７に示すように、コ字状部７１の底壁７８と箱体７３の側壁８３及び８４との間に挟み込まれて箱体７３のコ字状部７１からの落下を防止するように箱体７３を支持する支持部材１００を具備していてもよい。斯かる支持部材１００は、図８に示すように箱体７３がコ字状部７１に対して上昇されることにより底壁７８及び側壁８３及び８４間から抜出することができるようになっている。
【００３６】
また、本例のカッタの刃折り具１では、閉塞部材７５に代えて、例えば図９に示すように、コ字状部７１の前壁８１及び後壁８２に固着された一対の傾斜板９５及び９６を具備していてもよく、斯かる場合には、傾斜板９５及び９６により折り刃収容体１０に収容された折り刃９の開口７２からの落下等を防止し得る。
【００３７】
カッタの刃折り具１の装着体３、スライダ５、刃折り体８及び折り刃収容体１０は、例えば合成樹脂製であってもよく、斯かる場合において、刃折り体８の面６２と固着板部４３の面６３であって刃先７が押しつけられる部位とには、刃先７を折るための金属板部が夫々形成されていてもよい。
【図面の簡単な説明】
【００３８】
【図１】本発明の実施の形態の例の斜視説明図である。
【図２】図１に示す例のＩＩ−ＩＩ線断面説明図である。
【図３】図１に示す例のカッタの刃先を折る場合の断面説明図である。
【図４】図１に示す例のカッタの刃先を折る場合の断面説明図である。
【図５】図１に示す例の分解説明図である。
【図６】図１に示す例のスライダを反転させた場合の斜視説明図である。
【図７】本発明の実施の形態の他の例の一部説明図である。
【図８】図７に示す例の一部説明図である。
【図９】本発明の実施の形態の更に他の例の一部説明図である。
【符号の説明】
【００３９】
１  カッタの刃折り具
２  被装着体
３  装着体
４  対称軸
５  スライダ
６  カッタ
７  刃先
８  刃折り体
９  折り刃
１０  折り刃収容体
【図１】
2006116136.tif 000003
【図２】
2006116136.tif 000004
【図３】
2006116136.tif 000005
【図４】
2006116136.tif 000006
【図５】
2006116136.tif 000007
【図６】
2006116136.tif 000008
【図７】
2006116136.tif 000009
【図８】
2006116136.tif 000010
【図９】
2006116136.tif 000011